(57)【要約】      （修正有）【課題】コンタクトの端子部を確実に基板のスルーホールに挿入することができるコネクタを提供する。【解決手段】ハウジング１１に保持される保持部１３ｃと、基板に挿入される端子部１３ｄと、連結部１３ｅとを有する複数のコンタクト１３に整列部材１６を装着し、連結部１３ｅに対してほぼ直角方向へ延びる端子部１３ｄを位置決めする。複数のコンタクト１３を、コネクタの長手方向に沿って配置するとともに、長手方向と直交するコネクタの上下方向Ｄ３へ配置する。整列部材１６に、連結部１３ｅを受け容れる受容部１６３と、連結部１７１，１７２を設けて、コンタクト１３の結合部１３ｅの上下方向Ｄ３への相対移動を阻止する支持面１７２ｂ、１７２ｃとを設けた。【選択図】図３
2011100657.tif 000002
【特許請求の範囲】
【請求項１】
ハウジングと、
前記ハウジングに保持される保持部と、基板に挿入される端子部と、前記保持部と前記端子部とを連結する連結部とを有する複数のコンタクトと、
前記コンタクトに装着され、前記連結部に対してほぼ直角方向へ延びる前記端子部を位置決めする整列部材とを備えているコネクタにおいて、
前記複数のコンタクトは、所定方向に沿って配置されるとともに、前記所定方向と直交する端子部挿入方向へ２列に配置され、
前記所定方向で隣り合う所定の前記コンタクトの前記連結部同士が結合部を介して結合されて複数の結合コンタクトが構成され、
前記整列部材が、前記連結部を受け容れる受容部と、前記２列のうちの上側の列の前記結合コンタクトの前記結合部を外部に露出させる開放部と、前記２列のうちの下側の列の前記結合コンタクトの前記結合部の上側への相対移動を阻止する移動阻止部とを有している
ことを特徴とするコネクタ。
【請求項２】
前記ハウジングに保持される信号側保持部と、前記基板に挿入される信号側端子部と、前記信号側保持部と前記信号側端子部とを連結する信号側連結部とを有する複数の信号側コンタクトを備え、
前記整列部材が、前記信号側連結部を受け容れる信号側受容部を有し、
前記所定の前記コンタクトの前記連結部とそれらの連結部を結合する前記結合部とによって、前記信号コンタクトの前記信号側連結部の三方が囲まれている
ことを特徴とする請求項１記載のコネクタ。
【請求項３】
前記所定の前記コンタクトの前記連結部とそれらの連結部を結合する前記結合部との断面形状がほぼＵ字形であることを特徴とする請求項１又は２記載のコネクタ。
【請求項４】
前記端子部及び前記信号側端子部がそれぞれ前記基板のスルーホールの内周面に押し付けられるプレスフィット構造であることを特徴とする請求項１〜３のいずれか１項記載のコネクタ。
【発明の詳細な説明】
【技術分野】
【０００１】
この発明はコネクタに関する。
【背景技術】
【０００２】
従来、複数のコンタクトとハウジングとロケータ（整列部材）とからなるコネクタが知られている（下記特許文献１参照）。
【０００３】
コンタクトはほぼＬ字形に形成され、接続部とプレスフィット部（端子部）とリード端子部（連結部）とを有する。接続部はフォーク状に形成されている。プレスフィット部の長手方向は接続部の長手方向に対してほぼ直交する。プレスフィット部はプリント基板のスルーホールに圧入される。リード端子部は接続部とプレスフィット部とを接続する。プレスフィット部とリード端子との連続部分には幅広部が形成されている。
【０００４】
ハウジングにはその長手方向に沿って上下３列に所定間隔にコンタクト収容穴が形成されている。コンタクトの接続部はコンタクト収容穴に収容された状態でハウジングに保持される。
【０００５】
ロケータは複数のスリットと複数対の突起とを有する。複数のスリットにはハウジングに保持された複数のコンタクトのリード端子部が挿入される。対の突起は各スリット内に形成されている。対の突起の下面に形成された凹部にコンタクトの幅広部が嵌合する。また、対の突起は傾斜面を有する。傾斜面はリード端子をスリットに挿入するときに、リード端子の挿入が突起に阻止されないようにする。
【０００６】
このコネクタを組み立てるには、まず、ハウジングのコンタクト収容穴にコンタクトの接続部を収容し、ハウジングにコンタクトを保持させる。
【０００７】
次に、コンタクトのプレスフィット部、幅広部及びリード端子部をロケータのスリットに挿入する。このとき、幅広部は突起の傾斜面に乗り上げ、リード端子部のばね力に抗してコンタクトの配列方向へ移動する。コンタクトの幅広部が突起を通過すると、リード端子部のばね力によって幅広部は突起の下方へ移動し、幅広部が突起の下面の凹部に嵌合する。
【０００８】
以上の作業により、コネクタの組立が完了する。
【０００９】
コネクタをプリント基板に実装するには、コンタクトのプレスフィット部の先端部をプリント基板のスルーホールに挿入し、その後、ロケータの上面をプレス機等で押圧する。
【００１０】
プレス機等によってロケータに加えられた押圧力はロケータの突起を介してコンタクトの幅広部に伝えられ、プレスフィット部全体がスルーホールに圧入される。
【先行技術文献】
【特許文献】
【００１１】
【特許文献１】特開２００１−６７７１号公報（段落０００７〜００１２、図９、図１０）
【発明の概要】
【発明が解決しようとする課題】
【００１２】
上述のコネクタでは、コンタクトをロケータに挿入するときに、突起がコンタクトの幅広部によって削られるおそれがあった。
【００１３】
突起が削られると、突起と幅広部との嵌合状態が維持できなくなり、コンタクトのプレスフィット部を確実に基板のスルーホールに挿入することができなくなるおそれがある。
【００１４】
この発明はこのような事情に鑑みてなされたもので、その課題はコンタクトの端子部を確実に基板のスルーホールに挿入することができるコネクタを提供することである。
【課題を解決するための手段】
【００１５】
上述の課題を解決するため請求項１記載の発明は、ハウジングと、前記ハウジングに保持される保持部と、基板に挿入される端子部と、前記保持部と前記端子部とを連結する連結部とを有する複数のコンタクトと、前記コンタクトに装着され、前記連結部に対してほぼ直角方向へ延びる前記端子部を位置決めする整列部材とを備えているコネクタにおいて、前記複数のコンタクトは、所定方向に沿って配置されるとともに、前記所定方向と直交する端子部挿入方向へ２列に配置され、前記所定方向で隣り合う所定の前記コンタクトの前記連結部同士が結合部を介して結合されて複数の結合コンタクトが構成され、前記整列部材が、前記連結部を受け容れる受容部と、前記２列のうちの上側の列の前記結合コンタクトの前記結合部を外部に露出させる開放部と、前記２列のうちの下側の列の前記結合コンタクトの前記結合部の上側への相対移動を阻止する移動阻止部とを有していることを特徴とする。
【００１６】
上述のように、整列部材が、上側の列の結合コンタクトの結合部を外部に露出させる開放部と、下側の列の結合コンタクトの結合部の上側への移動を阻止する移動阻止部とを有しているので、上側の列の結合コンタクトの結合部を直接押圧して、整列部材を下側へ押すことができる。上側の列の結合コンタクトの結合部が押圧されて整列部材が下側へ押されたとき、下側の列の結合コンタクトが上側へ相対移動しようとしても、移動阻止部によって下側の列の結合コンタクトの移動は阻止され、下側の列のすべての結合コンタクトは整列部材と一体に下側へ移動する。
【００１７】
請求項２記載の発明は、請求項１記載のコネクタにおいて、前記ハウジングに保持される信号側保持部と、前記基板に挿入される信号側端子部と、前記信号側保持部と前記信号側端子部とを連結する信号側連結部とを有する複数の信号側コンタクトを備え、前記整列部材が、前記信号側連結部を受け容れる信号側受容部を有し、前記所定の前記コンタクトの前記連結部とそれらの連結部を結合する前記結合部とによって、前記信号コンタクトの前記信号側連結部の三方が囲まれていることを特徴とする。
【００１８】
請求項３記載の発明は、請求項１又は２記載のコネクタにおいて、前記所定の前記コンタクトの前記連結部とそれらの連結部を結合する前記結合部との断面形状がほぼＵ字形であることを特徴とする。
【００１９】
請求項４記載の発明は、請求項１〜３のいずれか１項記載のコネクタにおいて、前記端子部及び前記信号側端子部がそれぞれ前記基板のスルーホールの内周面に押し付けられるプレスフィット構造であることを特徴とする。
【発明の効果】
【００２０】
この発明によれば、コンタクトの端子部を確実に基板のスルーホールに挿入することができる。
【図面の簡単な説明】
【００２１】
【図１】図１は本発明の一実施形態のコネクタの一部分の拡大図である。
【図２】図２は図１のＡ−Ａ線に沿う断面図である。
【図３】図３は図１のＢ−Ｂ線に沿う断面図である。
【図４】図４は図１のＣ−Ｃ線に沿う断面図である。
【図５】図５は図１のＡ−Ａ線に沿う断面があらわれたコネクタの斜視図である。
【図６】図６は図１のＢ−Ｂ線に沿う断面があらわれたコネクタの斜視図である。
【図７】図７は図１のＣ−Ｃ線に沿う断面があらわれたコネクタの斜視図である。
【図８】図８は図１に示すコネクタのコンタクトの斜視図である。
【図９】図９は図８に示すコンタクトを組んだ状態を示す斜視図である。
【図１０】図１０は図１に示すコネクタの整列部材の斜視図である。
【図１１】図１１は図１のＡ´−Ａ´線に沿う断面があらわれた整列部材の斜視図である。
【図１２】図１２は図１のＢ´−Ｂ´線に沿う断面があらわれた整列部材の斜視図である。
【図１３】図１３は図１のＣ´−Ｃ´線に沿う断面があらわれた整列部材の斜視図である。
【図１４】図１４は図１に示すコネクタの上側の別の結合コンタクトを押圧した状態を示す概念図である。
【図１５】図１５は図１に示すコネクタに相手側コネクタを接続する前の状態を示す概念図である。
【図１６】図１６は図１５に示す中継ハウジングに相手側コネクタを嵌合させた状態を示す概念図である。
【図１７】図１７は図１に示すコネクタに図１５に示す相手側コネクタを接続する前の状態を示す概念図である。
【図１８】図１８は図１に示すコネクタに図１５に示す相手側コネクタを接続した状態を示す概念図である。
【図１９】図１９は図１５に示す相手側コネクタに図１に示すコネクタのコンタクトを挿入した状態を示す斜視図である。
【図２０】図２０は図１９に示すコンタクトを弾性変形させた状態を示す斜視図である。
【図２１】図２１は図１に示すコネクタの各コンタクトの端子部の拡大図である。
【発明を実施するための形態】
【００２２】
この発明の一実施形態のコネクタを図面に基づいて説明する。
【００２３】
図１に示すように、コネクタ１０はハウジング１１と第１のグランドコンタクト（コンタクト）１２Ａと第２のグランドコンタクト（コンタクト）１２Ｂと第１の信号側コンタクト１３と第３のグランドコンタクト（コンタクト）１４Ａと第４のグランドコンタクト（コンタクト）１４Ｂと第２の信号側コンタクト１５と整列部材１６とを備えている。
【００２４】
図２〜図７に示すように、ハウジング１１はハウジング本体１１１と嵌合部１１２とで構成されている。この実施形態では、コネクタ１０の前後、左右について、図２に向かって上がコネクタ１０の前方、下がコネクタ１０の後方、右がコネクタ１０の上方、左がコネクタ１０の下方である。
【００２５】
ハウジング本体１１１は樹脂で形成されている。ハウジング本体１１１の前部には凹部１１１ａが形成されている。また、ハウジング本体１１１には複数の圧入孔１１１ｂが上下２列に形成されている。圧入孔１１１ｂは嵌合方向Ｄ１へ延び、凹部１１１ａに通じている。更に、ハウジング本体１１１には複数の保持孔１１１ｃが上下２列に形成されている。保持孔１１１ｃは嵌合方向Ｄ１へ延びる。保持孔１１１ｃは圧入孔１１１ｂの嵌合方向Ｄ１の後方に位置し、圧入孔１１１ｂに通じている。また、ハウジング本体１１１には複数の保持溝１１１ｄが所定間隔に形成されている（図３、図６参照）。複数の保持溝１１１ｄは下の列の圧入孔１１１ｂの上方に位置する。
【００２６】
嵌合部１１２は樹脂で形成されている。嵌合部１１２はハウジング本体１１１の凹部１１１ａにコネクタ１０の長手方向（所定方向）Ｄ２へ移動可能に配置されている。嵌合部１１２には複数の受容部１１２ａが形成されている。受容部１１２ａの上下方向（端子部挿入方向）Ｄ３で相対する内面のそれぞれに収容溝１１２ｂが形成されている。収容溝１１２ｂは長手方向Ｄ２へ所定間隔に配置されている。収容溝１１２ｂは嵌合方向Ｄ１でハウジング本体１１１の圧入孔１１１ｂと対向する。
【００２７】
図８、図９に示すように、第１のグランドコンタクト１２Ａは接触部１２ａとばね部１２ｂと保持部１２ｃと端子部１２ｄと連結部１２ｅとを有する。
【００２８】
接触部１２ａは嵌合部１１２の受容部１１２ａ内に突出している（図２参照）。ばね部１２ｂは接触部１２ａに連なり、嵌合部１１２の収容溝１１２ｂに収容されている。保持部１２ｃはばね部１２ｂに連なり、ハウジング本体１１１の圧入孔１１１ｂに圧入され、ハウジング本体１１１に保持されている。端子部１２ｄはプレスフィット構造（図示しない基板のスルーホール内に端子部が弾性変形（又は塑性変形）して圧入され、基板に保持される構造）の端子部であり（図２１参照）、その長手方向は嵌合方向Ｄ１とほぼ直交する。連結部１２ｅは保持部１２ｃと端子部１２ｄとを連結する。
【００２９】
第２のグランドコンタクト１２Ｂは第１のグランドコンタクト１２Ａとほぼ同じ構成であるので、図中に第１のグランドコンタクト１２Ａと同じ符号を付し、その説明を省略する。第１のグランドコンタクト１２Ａと第２のグランドコンタクト１２Ｂとの主な違いは、第２のグランドコンタクト１２Ｂの端子部１２ｄの位置が第１のグランドコンタクト１２Ａの端子部１２ｄの位置よりも前方に位置していることである。
【００３０】
長手方向Ｄ２で隣り合う所定の（対の）第１のグランドコンタクト１２Ａと第２のグランドコンタクト１２Ｂとが結合部１２ｆによって結合され、第１の結合コンタクト（上側の列の結合コンタクト）１２が構成されている。第１の結合コンタクト１２は１枚の金属板に打抜き加工及び曲げ加工を施すことによって形成されている。
【００３１】
第１の信号側コンタクト１３は信号側接触部１３ａと信号側ばね部１３ｂと信号側保持部１３ｃと信号側端子部１３ｄと信号側連結部１３ｅとを有する。
【００３２】
信号側接触部１３ａは嵌合部１１２の受容部１１２ａ内に突出している（図３参照）。信号側ばね部１３ｂは信号側接触部１３ａに連なり、嵌合部１１２の収容溝１１２ｂに収容されている。信号側保持部１３ｃは信号側ばね部１３ｂに連なり、ハウジング本体１１１の圧入孔１１１ｂに圧入され、ハウジング本体１１１に保持されている。信号側端子部１３ｄはプレスフィット構造の端子部であり（図２１参照）、その長手方向は嵌合方向Ｄ１とほぼ直交する。信号側連結部１３ｅは信号側保持部１３ｃと信号側端子部１３ｄとを連結する。
【００３３】
第１の信号側コンタクト１３は１枚の金属板に打抜き加工及び曲げ加工を施すことによって形成されている。
【００３４】
第３のグランドコンタクト１４Ａは接触部１４ａとばね部１４ｂと保持部１４ｃと端子部１４ｄと連結部１４ｅと挿入部１４ｇとを有する。
【００３５】
接触部１４ａは嵌合部１１２の受容部１１２ａ内に突出している（図２参照）。ばね部１４ｂは接触部１４ａに連なり、嵌合部１１２の収容溝１１２ｂに収容されている。保持部１４ｃはばね部１４ｂに連なり、ハウジング本体１１１の圧入孔１１１ｂに圧入され、保持されている。端子部１４ｄはプレスフィット構造の端子部であり（図２１参照）、その長手方向は嵌合方向Ｄ１とほぼ直交する。連結部１４ｅは保持部１４ｃと端子部１４ｄとを連結する。挿入部１４ｇは連結部１４ｅに連なり、ばね部１４ｂとほぼ平行に延びている。
【００３６】
第４のグランドコンタクト１４Ｂは第３のグランドコンタクト１４Ａとほぼ同じ構成であるので、図中に第３のグランドコンタクト１４Ａと同じ符号を付し、その説明を省略する。第３のグランドコンタクト１４Ａと第４のグランドコンタクト１４Ｂとの主な違いは、第４のグランドコンタクト１４Ｂの端子部１４ｄの位置が第３のグランドコンタクト１４Ａの端子部１４ｄの位置よりも前方に位置していることと、第４のグランドコンタクト１４Ｂには挿入部１４ｇが無いことである。
【００３７】
長手方向Ｄ２で隣り合う所定の（対の）第３のグランドコンタクト１４Ａと第４のグランドコンタクト１４Ｂとが結合部１４ｆによって結合され、第２の結合コンタクト（上側の列の結合コンタクト）１４が構成されている。第２の結合コンタクト１４は１枚の金属板に打抜き加工及び曲げ加工を施すことによって形成されている。
【００３８】
第２の信号側コンタクト１５は信号側接触部１５ａと信号側ばね部１５ｂと信号側保持部１５ｃと信号側端子部１５ｄと信号側連結部１５ｅとを有する。
【００３９】
信号側接触部１５ａは嵌合部１１２の受容部１１２ａ内に突出している（図３参照）。信号側ばね部１５ｂは信号側接触部１５ａに連なり、嵌合部１１２の収容溝１１２ｂに収容されている。信号側保持部１５ｃは信号側ばね部１５ｂに連なり、ハウジング本体１１１の圧入孔１１１ｂに圧入され、ハウジング本体１１１に保持されている。信号側端子部１５ｄはプレスフィット構造の端子部であり（図２１参照）、その長手方向は嵌合方向Ｄ１とほぼ直交する。信号側連結部１５ｅは信号側保持部１５ｃと信号側端子部１５ｄとを連結する。
【００４０】
第２の信号側コンタクト１５は１枚の金属板に打抜き加工及び曲げ加工を施すことによって形成されている。
【００４１】
図１０〜図１３に示すように、整列部材１６は複数の第１の受容部１６１と複数の第２の受容部１６２と複数の第１の信号側受容部１６３と複数の第２の信号側受容部１６４と複数の第３の受容部１６７と複数の第４の受容部１６８と複数の開放部１６９とを有する。
【００４２】
図１１、図１に示すように、複数の第１の受容部１６１は長手方向Ｄ２に沿って所定間隔に形成されている。第１の受容部１６１は整列部材１６の前面１６ａと上面１６ｃと下面１６ｄとで開口している。第１の受容部１６１は第１のグランドコンタクト１２Ａの連結部１２ｅの後部を受け入れる（図２、図５参照）。複数の第２の受容部１６２は長手方向Ｄ２に沿って所定間隔に形成されている。第２の受容部１６２は第１の受容部１６１と繋がり、整列部材１６の前面１６ａと下面１６ｄとで開口している。第２の受容部１６２は第３のグランドコンタクト１４Ａの連結部１４ｅの後部を受け入れる（図２、図５参照）。
【００４３】
図１２に示すように、複数の第１の信号側受容部１６３は長手方向Ｄ２に沿って所定間隔に形成されている。第１の信号側受容部１６３はほぼＬ字形であり、整列部材１６の正面１６ａと上面１６ｃと底面１６ｄとで開口している。第１の信号側受容部１６３は第１の信号側コンタクト１３の信号側連結部１３ｅの後部を受け容れる（図３、図６参照）。複数の第２の信号側受容部１６４は長手方向Ｄ２に沿って所定間隔に形成されている。第２の信号側受容部１６４は整列部材１６の前部に形成され、整列部材１６の前面１６ａと下面１６ｄとで開口している。第２の信号側受容部１６４は第２の信号側コンタクト１５の信号側連結部１５ｅの後部を受け入れる（図３、図６参照）。
【００４４】
第１の信号側受容部１６３の長手方向Ｄ２で相対する２つの内面を連結する連結部１７１には溝１７１ａが形成されている。第１の信号側受容部１６３の後方に位置する連結部１７２は凸部１７２ａを有する。溝１７１ａは第２の結合コンタクト１４の１４ｆの後部を受け容れ、第２の結合コンタクト１４が整列部材１６に対して相対的に上方へ移動するのを阻止する。このように、溝１７１ａの内面によって第２の結合コンタクト１４の上方への移動を阻止する移動阻止部が構成されている。
【００４５】
図１３に示すように、複数の第３の受容部１６７は長手方向Ｄ２に沿って所定間隔に形成されている。第３の受容部１６７はほぼＬ字形であり、整列部材１６の前面１６ａと上面１６ｃと下面１６ｄとで開口している。第３の受容部１６７は第２のグランドコンタクト１２Ｂの連結部１２ｅの後部を受け容れる（図４、図７参照）。複数の第４の受容部１６８は１６の長手方向Ｄ２に沿って所定間隔に形成されている。第４の受容部１６８は整列部材１６の前部に形成され、整列部材１６の正面１６ａと下面１６ｄとで開口している。第４の受容部１６８は第４のグランドコンタクト１４Ｂの連結部１４ｅの後部を受け容れる（図４、図７参照）。
【００４６】
上述のように、第１の受容部１６１、第１の信号側受容部１６３及び第３の受容部１６７は整列部材１６の上面１６ｃで開口しており、これらの開口によって開放部１６９が構成されている。
【００４７】
コネクタ１０を組み立てるには、まず、図２、図４、図５、図７に示すように、第１の結合コンタクト１２の保持部１２ｃ，１２ｃをハウジング本体１１１の上の列の圧入孔１１１ｂに圧入し、第２の結合コンタクト１４の保持部１４ｃ，１４ｃをハウジング本体１１１の下の列の圧入孔１１１ｂに圧入する。その結果、第１の結合コンタクト１２のばね部１２ｂ，１２ｂが嵌合部１１２の上の列の収容溝１１２ｂに挿入され、第１の結合コンタクト１２の連結部１２ｅの前部が保持孔１１１ｃに挿入される。また、第２の結合コンタクト１４のばね部１４ｂ，１４ｂが嵌合部１１２の下の列の収容溝１１２ｂに挿入され、第２の結合コンタクト１４の連結部１４ｅの前部が下の列の保持孔１１１ｃに挿入される。更に、第２の結合コンタクト１４の挿入部１４ｇが保持溝１１１ｄに挿入される（図３、図６参照）
【００４８】
更に、図３、図６に示すように、第１の信号側コンタクト１３の信号側保持部１３ｃをハウジング本体１１１の上の列の圧入孔１１１ｂに圧入し、第２の信号側コンタクト１５の信号側保持部１５ｃをハウジング本体１１１の下の列の圧入孔１１１ｂに圧入する。その結果、第１の信号側コンタクト１３の信号側ばね部１３ｂが嵌合部１１２の上の列の収容溝１１２ｂに挿入され、第１の信号側コンタクト１３の信号側連結部１３ｅの前部がハウジング本体１１１の上の列の保持孔１１１ｃに挿入される。また、第２の信号側コンタクト１５の信号側ばね部１５ｂが嵌合部１１２の下の列の収容溝１１２ｂに挿入され、第２の信号側コンタクト１５の信号側連結部１５ｅの前部がハウジング本体１１１の下の列の保持孔１１１ｃに挿入される。
【００４９】
最後に、第１の結合コンタクト１２の連結部１２ｅの後部、第１の信号側コンタクト１３の信号側連結部１３ｅの後部、第２の結合コンタクト１４の連結部１４ｅの後部及び第２の信号側コンタクト１５の信号側連結部１５ｅの後部を、それぞれ整列部材１６の第１の受容部１６１、第１の信号側受容部１６３及び第３の受容部１６７に挿入する。
【００５０】
上述の整列部材１６への挿入作業は次の手順で行われる。
【００５１】
まず、第１の結合コンタクト１２の端子部１２ｄ，１２ｄ、第１の信号側コンタクト１３の信号側端子部１３ｄをそれぞれ整列部材１６の第１の受容部１６１、第３の受容部１６７、第１の信号側受容部１６３に前方から挿入し、第１の信号側コンタクト１３の信号側連結部１３ｅの後部が整列部材１６の凸部１７２ａに突き当たるまで、各端子部１２ｄ，１２ｄ，１３ｄを嵌合方向Ｄ１に沿って押し込む。
【００５２】
次に、第１の信号側コンタクト１３の信号側連結部１３ｅが連結部１７１に突き当たるまで、全てのコンタクト１２，１３，１４，１５を上下方向Ｄ３に沿って下方へ押し込む。
【００５３】
最後に、第１の信号側コンタクト１３の信号側連結部１３ｅの後部が連結部１７２の支持面１７２ｂ（図３参照）に突き当たるまで全てのコンタクト１２，１３，１４，１５を嵌合方向Ｄ１に沿って後方へ押し込む。その結果、第１の信号側コンタクト１３の信号側連結部１３ｅの後部が凸部１７２ａの支持面１７２ｃ（図３参照）に接触し、第１の信号側コンタクト１３の上方への移動が阻止される。また、第２の結合コンタクト１４の結合部１４ｆの後部が溝１７１ａに嵌り、第２の結合コンタクト１４の上方への移動が阻止される。更に、第２の信号側コンタクト１５の信号側連結部１５ｅの後端部が第２の信号側受容部１６４内に収まり、第２の信号側コンタクト１５の上方への移動が阻止される。
【００５４】
第１の結合コンタクト１２、第１の信号側コンタクト１３、第２の結合コンタクト１４及び第２の信号側コンタクト１５の端子部１２ｄ，１３ｄ，１４ｄ，１５ｄを図示しないプリント基板のスルーホールに圧入するには、まず、端子部１２ｄ，１３ｄ，１４ｄ，１５ｄの先端部をスルーホールに挿入する。
【００５５】
次に、開放部１６９を通じて外部に露出した第１の結合コンタクト１２の全ての結合部１２ｆを板状の治具（図示せず）を用いて一時に下方へ押圧する。
【００５６】
治具を介して結合部１２ｆに伝えられた押圧力は連結部１２ｅを介して端子部１２ｄに伝えられる。
【００５７】
また、治具によって押圧された結合部１２ｆは整列部材１６を押圧する。このとき整列部材１６の凸部１７２ａの支持面１７２ｃ、連結部１７１の溝１７１ａの内面、第２の信号側受容部１６４の内面は、それぞれ第１の信号側コンタクト１３、第２の結合コンタクト１４、第２の信号側コンタクト１５を押圧する。
【００５８】
以上の結果、端子部１２ｄ，１３ｄ，１４ｄ，１５ｄは弾性変形（又は塑性変形）し、端子部１２ｄ，１３ｄ，１４ｄ，１５ｄがスルーホールに圧入される。
【００５９】
図１５、図１６に示すように、コネクタ１０を相手側コネクタであるケーブルコネクタ２０に接続するには、まず、中継ハウジング３０の複数の受容部３１にそれぞれケーブルコネクタ２０を挿入する。
【００６０】
図１７に示すように、全てのケーブルコネクタ２０を中継ハウジング３０に挿入したら、コネクタ１０の嵌合部１１２を嵌合位置に位置させる。このとき、第１の結合コンタクト１２、第１の信号側コンタクト１３、第２の結合コンタクト１４及び第２の信号側コンタクト１５のばね部１２ｂ，１３ｂ，１４ｂ，１５ｂは弾性変形しておらず、まっすぐな状態である（図１９参照）。
【００６１】
次に、中継ハウジング３０をコネクタ１０の嵌合部１１２に嵌合させる。その結果、図１９に示すように、第１の結合コンタクト１２、第１の信号側コンタクト１３、第２の結合コンタクト１４及び第２の信号側コンタクト１５の接触部１２ａ，１３ａ，１４ａ，１５ａがそれぞれケーブルコネクタ２０のハウジング２１に複数形成された複数のスリット２１ａに挿入される。スリット２１ａ内にはケーブルコネクタ２０のコンタクト２２（図１６参照）の接触部（図示せず）が配置されている。
【００６２】
最後に、コネクタ１０のレバー１８を所定方向へ回転させ、嵌合部１１２を長手方向Ｄ２へスライドさせる。
【００６３】
その結果、第１の結合コンタクト１２、第１の信号側コンタクト１３、第２の結合コンタクト１４及び第２の信号側コンタクト１５のばね部１２ｂ，１３ｂ，１４ｂ，１５ｂが撓み、ばね部１２ｂ，１３ｂ，１４ｂ，１５ｂが元の状態に戻ろうとする力によって接触部１２ａ，１３ａ，１４ａ，１５ａはケーブルコネクタ２０のコンタクト２２の接触部に押し付けられ、コネクタ１０とケーブルコネクタ２０とが電気的に接続される。
【００６４】
この実施形態のコネクタ１０によれば、結合部１２ｆに加えられた押圧力が、端子部１２ｄでは連結部１２ｅを介して、端子部１２ｄ以外の端子部１４ｄや信号側端子部１３ｄ，１５ｄでは整列部材１６を介して確実に伝えられるので、端子部１２ｄ，１４ｄや信号側端子部１３ｄ，１５ｄを確実にプリント基板のスルーホールに挿入することができる。
【００６５】
また、第１の信号側コンタクト１３の三方が第１のグランドコンタクト１２Ａと第２のグランドコンタクト１２Ｂと結合部１２ｆとで囲まれた状態になり、また、第２の信号側コンタクト１５の三方が第３のグランドコンタクト１４Ａと第４のグランドコンタクト１４Ｂと結合部１４ｆとで囲まれた状態になるので、シールド性に優れている。
【００６６】
第１の結合コンタクト１２、第１の信号側コンタクト１３、第２の結合コンタクト１４及び第２の信号側コンタクト１５の接触部１２ａ，１３ａ，１４ａ，１５ａを直接ケーブルコネクタ２０のコンタクト２２の接触部に接触させるようにしたので、中継コンタクトを不要とした。
【００６７】
第１の結合コンタクト１２及び第１の信号側コンタクト１３と、第２の結合コンタクト１４及び第２の信号側コンタクト１５とをコネクタ１０の上下方向Ｄ３に沿って並べたので、上の列のコンタクトと下の列のコンタクトとをピッチの半分だけずらしたコネクタに比べてコネクタ１０を小型化することができる。
【００６８】
なお、第１の結合コンタクト１２及び第２の結合コンタクト１４の結合部１２ｆ，１４ｆでの断面形状をほぼＵ字形にしてあるが、第１の結合コンタクト１２及び第２の結合コンタクト１４の断面形状はほぼＵ字形に限られない。
【００６９】
また、端子部１２ｄ，１３ｄ，１４ｄ，１５ｄはいずれもプレスフィット構造の端子部であるが、端子部の構造はピンタイプやソケットタイプのものでもよく、プレスフィット構造のものに限られない。
【符号の説明】
【００７０】
１０  コネクタ
１１  ハウジング
１２  第１の結合コンタクト（上側の列の結合コンタクト）
１２Ａ  第１のグランドコンタクト
１２Ｂ  第２のグランドコンタクト
１２ｃ  保持部
１２ｄ  端子部
１２ｅ  連結部
１２ｆ  結合部
１３  第１の信号側コンタクト
１３ｃ  信号側保持部
１３ｄ  信号側端子部
１３ｅ  信号側連結部
１４  第２の結合コンタクト（下側の列の結合コンタクト）
１４Ａ  第３のグランドコンタクト
１４Ｂ  第４のグランドコンタクト
１４ｃ  保持部
１４ｄ  端子部
１４ｅ  連結部
１４ｆ  結合部
１５  第２の信号側コンタクト
１５ｃ  信号側保持部
１５ｄ  信号側端子部
１５ｅ  信号側連結部
１６  整列部材
１６１  第１の受容部
１６２  第２の受容部
１６３  第１の信号側受容部
１６４  第２の信号側受容部
１６７  第３の受容部
１６８  第４の受容部
１６９  開放部
１７１  連結部
１７１ａ  溝
１７２  連結部
１７２ａ  凸部
１７２ｂ  支持面
Ｄ２  長手方向（所定方向）
Ｄ３  上下方向（端子部挿入方向）
【図１】
2011100657.tif 000003
【図２】
2011100657.tif 000004
【図３】
2011100657.tif 000005
【図４】
2011100657.tif 000006
【図５】
2011100657.tif 000007
【図６】
2011100657.tif 000008
【図７】
2011100657.tif 000009
【図８】
2011100657.tif 000010
【図９】
2011100657.tif 000011
【図１０】
2011100657.tif 000012
【図１１】
2011100657.tif 000013
【図１２】
2011100657.tif 000014
【図１３】
2011100657.tif 000015
【図１４】
2011100657.tif 000016
【図１５】
2011100657.tif 000017
【図１６】
2011100657.tif 000018
【図１７】
2011100657.tif 000019
【図１８】
2011100657.tif 000020
【図１９】
2011100657.tif 000021
【図２０】
2011100657.tif 000022
【図２１】
2011100657.tif 000023